(57)【要約】【課題】本発明は、インクジェットプリントヘッド組立体に関し、より詳細には、プリンティングの際に発生する熱を効果的に吸収及び放出して一定のサイズの液滴を噴射することができるインクジェットプリントヘッド組立体に関する。【解決手段】本発明のインクジェットプリントヘッド組立体は、インクジェットプリントヘッドと、当該インクジェットプリントヘッドに形成されて当該インクジェットプリントヘッドから発生する熱を吸収及び放出させる第１のコーティング層と、を含むことができる。【選択図】図１
2013082191.tif 000002
【特許請求の範囲】
【請求項１】
インクジェットプリントヘッドと、
前記インクジェットプリントヘッドに形成されて当該インクジェットプリントヘッドから発生する熱を吸収及び放出させる第１のコーティング層と
を含む、インクジェットプリントヘッド組立体。
【請求項２】
前記第１のコーティング層は、金属粉末を含む混合物を有する、請求項１に記載のインクジェットプリントヘッド組立体。
【請求項３】
前記第１のコーティング層は、ポリマー成分を含む混合物を有する、請求項１または２に記載のインクジェットプリントヘッド組立体。
【請求項４】
前記第１のコーティング層は、アルコール成分を含む混合物を有する、請求項１から３の何れか１項に記載のインクジェットプリントヘッド組立体。
【請求項５】
前記第１のコーティング層は、銀（Ａｇ）、窒化ホウ素（Ｂ３Ｎ３）、酸化亜鉛（ＺｎＯ）、酸化アルミニウム（Ａｌ２Ｏ３）、ポリオールエステルの少なくとも一つ以上を含む混合物を有する、請求項１から４の何れか１項に記載のインクジェットプリントヘッド組立体。
【請求項６】
前記第１のコーティング層は、銀１０〜１５重量％と、窒化ホウ素１〜１０重量％と、酸化亜鉛１〜１０重量％と、酸化アルミニウム２２〜２７重量％と、ポリオールエステル５０〜５２重量％と、を含む、請求項１から５の何れか１項に記載のインクジェットプリントヘッド組立体。
【請求項７】
前記インクジェットプリントヘッドは、前記第１のコーティング層が収容されることができる収容空間を備える、請求項１から６の何れか１項に記載のインクジェットプリントヘッド組立体。
【請求項８】
前記収容空間は、複数の隔壁で分離された構造である、請求項７に記載のインクジェットプリントヘッド組立体。
【請求項９】
前記インクジェットプリントヘッドは、
圧力室が形成された第１の基板と、
前記圧力室に貯蔵されたインクを噴射するノズルが形成された第２の基板と
を含む、請求項１から８の何れか１項に記載のインクジェットプリントヘッド組立体。
【請求項１０】
前記第１のコーティング層は、前記第１の基板の一面に形成される、請求項９に記載のインクジェットプリントヘッド組立体。
【請求項１１】
前記第１のコーティング層に形成され当該第１のコーティング層とは異なる混合物からなる第２のコーティング層を含む、請求項１から１０の何れか１項に記載のインクジェットプリントヘッド組立体。
【請求項１２】
前記第２のコーティング層は、前記インクジェットプリントヘッドと前記第１のコーティング層との間に形成される、請求項１１に記載のインクジェットプリントヘッド組立体。
【請求項１３】
前記第２のコーティング層は、ＲＴＶシリコンである、請求項１１または１２に記載のインクジェットプリントヘッド組立体。
【発明の詳細な説明】
【技術分野】
【０００１】
本発明は、インクジェットプリントヘッド組立体に関し、より詳細には、プリンティングの際に発生する熱を効果的に吸収及び放出して一定のサイズの液滴を噴射することができるインクジェットプリントヘッド組立体に関する。
【背景技術】
【０００２】
インクジェットプリンターは、カートリッジ内部に貯蔵されたインクを噴射して所望の形状や色を印刷することができる。このようなインクジェットプリンターは、文書を印刷するための事務用機器として活用される上に特定製品に色を注入するための工業用機器としても活用されている。
【０００３】
一般に、インクジェットプリンターは、インクカートリッジ付きのキャリッジを印刷媒体の幅方向に移動しながら印刷作業を行う。
【０００４】
しかしながら、このような印刷作業形態は、印刷過程でキャリッジが左右に何度も移動しなければならないため、印刷速度が遅い上、キャリッジの移動過程で騒音が発生する等の問題がある。
【０００５】
このような理由で、近年では、印刷速度の向上のために多数のインクジェットプリントヘッドを備えたインクジェットプリンターが開発され用いられている。このようなインクジェットプリンターは、１回の作動で広域の範囲を印刷することができるという長所がある。
【０００６】
しかしながら、多数のインクジェットプリントヘッドを備えたプリンターは、作業量の増加に伴う温度の上昇幅が大きい。このようなインクジェットプリントヘッドの温度上昇は、圧力室に貯蔵されたインクの粘度を落とすため、当該インクジェットプリントヘッドから噴射される液滴のサイズを急激に変化させることがある。
【０００７】
したがって、作業量に関係なく概ね一定のサイズの液滴を噴射することができるインクジェットプリントヘッド又は当該インクジェットプリントヘッドを備えた組立体の開発が求められている。
【発明の概要】
【発明が解決しようとする課題】
【０００８】
本発明の目的は、上記の問題を解決するためのもので、作業量の増加に伴って温度が上昇しても液滴のサイズが大きく変わらないインクジェットプリントヘッド組立体を提供することである。
【課題を解決するための手段】
【０００９】
上記の目的を達成するための本発明の一実施例によるインクジェットプリントヘッド組立体は、インクジェットプリントヘッドと、当該インクジェットプリントヘッドに形成されて当該インクジェットプリントヘッドから発生する熱を吸収及び放出させる第１のコーティング層と、を含むことができる。
【００１０】
本発明の一実施例によるインクジェットプリントヘッド組立体の上記第１のコーティング層は、金属粉末を含むことができる。
【００１１】
本発明の一実施例によるインクジェットプリントヘッド組立体の上記第１のコーティング層は、ポリマー成分を含む混合物からなることができる。
【００１２】
本発明の一実施例によるインクジェットプリントヘッド組立体の上記第１のコーティング層は、アルコール成分を含む混合物からなることができる。
【００１３】
本発明の一実施例によるインクジェットプリントヘッド組立体の上記第１のコーティング層は、銀（Ａｇ）、窒化ホウ素（Ｂ３Ｎ３）、酸化亜鉛（ＺｎＯ）、酸化アルミニウム（Ａｌ２Ｏ３）、ポリオールエステルの少なくとも一つ以上を含む混合物からなることができる。
【００１４】
本発明の一実施例によるインクジェットプリントヘッド組立体の上記第１のコーティング層は、銀１０〜１５重量％と、窒化ホウ素１〜１０重量％と、酸化亜鉛１〜１０重量％と、酸化アルミニウム２２〜２７重量％と、ポリオールエステル５０〜５２重量％と、を含むことができる。
【００１５】
本発明の一実施例によるインクジェットプリントヘッド組立体の上記インクジェットプリントヘッドは、上記第１のコーティング層が収容されることができる収容空間を備えることができる。
【００１６】
本発明の一実施例によるインクジェットプリントヘッド組立体の上記収容空間は、多数の隔壁で分離された構造であることができる。
【００１７】
本発明の一実施例によるインクジェットプリントヘッド組立体の上記インクジェットプリントヘッドは、圧力室が形成された第１の基板と、上記圧力室に貯蔵されたインクを噴射するノズルが形成された第２の基板と、を含むことができる。
【００１８】
本発明の一実施例によるインクジェットプリントヘッド組立体の上記第１のコーティング層は、上記第１の基板の一面に形成されることができる。
【００１９】
上記の目的を達成するための本発明の他の実施例によるインクジェットプリントヘッド組立体は、インクジェットプリントヘッドと、当該インクジェットプリントヘッドに形成されて当該インクジェットプリントヘッドから発生する熱を吸収及び放出させる第１のコーティング層と、当該第１のコーティング層に形成され当該第１のコーティング層とは異なる混合物からなる第２のコーティング層と、を含むことができる。
【００２０】
本発明の他の実施例によるインクジェットプリントヘッド組立体の上記第２のコーティング層は、上記インクジェットプリントヘッドと上記第１のコーティング層との間に形成されることができる。
【００２１】
本発明の他の実施例によるインクジェットプリントヘッド組立体の上記第２のコーティング層は、ＲＴＶシリコン（Ｒｏｏｍ  Ｔｅｍｐｅｒａｔｕｒｅ  Ｖｕｌｃａｎｉｚａｔｉｏｎ  Ｓｉｌｉｃｏｎｅ）からなることができる。
【００２２】
本発明の他の実施例によるインクジェットプリントヘッド組立体の上記第１のコーティング層は、金属粉末を含む混合物からなることができる。
【００２３】
本発明の他の実施例によるインクジェットプリントヘッド組立体の上記第１のコーティング層は、ポリマー成分を含む混合物からなることができる。
【００２４】
本発明の他の実施例によるインクジェットプリントヘッド組立体の上記第１のコーティング層は、アルコール成分を含む混合物からなることができる。
【００２５】
本発明の他の実施例によるインクジェットプリントヘッド組立体の上記第１のコーティング層は、銀（Ａｇ）、窒化ホウ素（Ｂ３Ｎ３）、酸化亜鉛（ＺｎＯ）、酸化アルミニウム（Ａｌ２Ｏ３）、ポリオールエステルの少なくとも一つ以上を含む混合物からなることができる。
【００２６】
本発明の他の実施例によるインクジェットプリントヘッド組立体の上記第１のコーティング層は、銀１０〜１５重量％と、窒化ホウ素１〜１０重量％と、酸化亜鉛１〜１０重量％と、酸化アルミニウム２２〜２７重量％と、ポリオールエステル５０〜５２重量％と、を含むことができる。
【発明の効果】
【００２７】
本発明によるインクジェットプリントヘッド組立体は、インクジェットプリントヘッドから発生する熱を一定の速度で吸収及び放出するため、印刷作業時間による液滴のサイズの変化の幅を最小化することができる。
【００２８】
したがって、本発明によると、インクジェットプリントヘッドの印刷品質を向上させることができる。
【図面の簡単な説明】
【００２９】
【図１】本発明の第１の実施例によるインクジェットプリントヘッド組立体の断面図である。
【図２】図１に示されるインクジェットプリントヘッド組立体の性能実験結果を示すグラフである。
【図３】図１に示されるインクジェットプリントヘッド組立体の性能実験結果を示すグラフである。
【図４】既存のインクジェットプリントヘッド組立体の熱分布を示すグラフである。
【図５】既存のインクジェットプリントヘッド組立体の熱分布を示すグラフである。
【図６】本発明の第１の実施例によるインクジェットプリントヘッド組立体の熱分布を示すグラフである。
【図７】本発明の第２の実施例によるインクジェットプリントヘッド組立体の断面図である。
【図８】図７に示されるインクジェットプリントヘッド組立体の性能実験結果を示すグラフである。
【図９】本発明の第３の実施例によるインクジェットプリントヘッド組立体の上部を示す平面図である。
【図１０】本発明の第４の実施例によるインクジェットプリントヘッド組立体の上部を示す平面図である。
【発明を実施するための形態】
【００３０】
以下、添付図面を参照して本発明の好ましい実施例を詳細に説明する。但し、本発明を説明する上で、本発明の構成要素を示す用語は、それぞれの構成要素の機能を考慮して記されたものであるため、本発明の技術的構成要素を限定する意味で理解されてはならない。
【００３１】
図１は、本発明の第１の実施例によるインクジェットプリントヘッド組立体の断面図であり、図２及び図３は、図１に示されるインクジェットプリントヘッド組立体の性能実験結果を示すグラフであり、図４及び図５は、既存のインクジェットプリントヘッド組立体の熱分布を示すグラフであり、図６は、本発明の第１の実施例によるインクジェットプリントヘッド組立体の熱分布を示すグラフであり、図７は、本発明の第２の実施例によるインクジェットプリントヘッド組立体の断面図であり、図８は、図７に示されるインクジェットプリントヘッド組立体の性能実験結果を示すグラフであり、図９は、本発明の第３の実施例によるインクジェットプリントヘッド組立体の上部を示す平面図であり、図１０は、本発明の第４の実施例によるインクジェットプリントヘッド組立体の上部を示す平面図である。
【００３２】
本発明の第１の実施例によるインクジェットプリントヘッド組立体１０００は、インクジェットプリントヘッド１００と、第１のコーティング層２００と、を含むことができる。
【００３３】
上記インクジェットプリントヘッド１００は、第１の基板１１０と、第２の基板１２０と、圧電素子１３０と、を含むことができる。
【００３４】
上記第１の基板１１０は、単結晶シリコン基板又は二つのシリコン層の間に絶縁層が形成されるＳＯＩ（Ｓｉｌｉｃｏｎ  ｏｎ  Ｉｎｓｕｌａｔｏｒ）ウエハであることができる。上記第１の基板１１０には、インクが流入されるインク流入口１１２及び圧力室１１４が形成されることができる。上記第１の基板１１０がＳＯＩウエハの場合、圧力室１１４の高さは、当該ＳＯＩウエハの二つのシリコン層のうち下部のシリコン層の厚さと実質的に同一であることができる。
【００３５】
上記圧電素子１３０は、圧力室１１４に対応するように上記第１の基板１１０の上部に形成されることができる。上記圧電素子１３０は、圧力室１１４に流入されたインクをノズル１２６を介して吐出するための駆動力を提供する。例えば、上記圧電素子１３０は、共通電極の役割をする下部電極と、電圧の印加に応じて変形される圧電膜と、駆動電極の役割をする上部電極と、を含んで構成されることができる。
【００３６】
上記下部電極は、第１の基板１１０の全表面に形成され、一つの導電性金属物質からなることができる。例えば、上記下部電極は、チタニウム（Ｔｉ）と白金（Ｐｔ）からなる二つの金属薄膜層で構成されることができる。このような下部電極は、共通電極の役割のみならず、圧電膜と第１の基板１１０との間の相互拡散を防止する拡散防止層の役割もすることができる。上記圧電膜は、下部電極の上に形成され、多数の圧力室１１４のそれぞれの上部に位置するように配置されることができる。このような圧電膜は、圧電物質、例えば、ＰＺＴ（Ｌｅａｄ  Ｚｉｒｃｏｎａｔｅ  Ｔｉｔａｎａｔｅ）からなることができる。上記上部電極は、圧電膜の上に形成され、Ｐｔ、Ａｕ、Ａｇ、Ｎｉ、Ｔｉ及びＣｕ等の物質のいずれか一つの物質からなることができる。上記上部電極は、ＰＺＴペーストをスクリーンプリンティングした後にＡｇ／Ｐｄペーストをスクリーンプリンティングして一緒に焼結することにより製作されることもできる。
【００３７】
なお、本実施例では、圧電素子１３０を用いた圧電駆動方式によりインクが吐出される構成を例に挙げて説明しているが、インク吐出方式により本発明が制限又は限定されるものではなく、要求条件に応じて熱駆動方式等の多様な方式によりインクが吐出されるように構成されることができる。
【００３８】
上記第２の基板１２０は、単結晶シリコン基板やＳＯＩウエハからなることができる。しかしながら、上記第２の基板１２０は、下部シリコン層、絶縁層、上部シリコン層が順次積層されてなるＳＯＩウエハ構造であることができる。上記第２の基板１２０には、インク流入口１１２に流入されるインクを多数の圧力室１１４のそれぞれに移送するマニホールド１２２と、インクを吐出する多数のノズル１２６と、圧力室１１４とノズル１２６との間に形成されるダンパー１２４と、を含むことができる。上記マニホールド１２２と上記ダンパー１２４は、側面が斜めに形成され、上部から下部に行くほど水平断面が小さくなる形状であることができる。なお、本明細書において、水平断面は、インクジェットプリントヘッドの設置面に平行な断面を意味することができる。
【００３９】
上記マニホールド１２２と上記圧力室１１４との間には、インクが吐出される際に当該圧力室１１４のインクが当該マニホールド１２２に逆流することを抑制するためにリストリクター（図示せず）が形成されることができる。具体的には、上記リストリクターは、圧力室１１４とマニホールド１２２とが連結される部分に形成されて当該マニホールド１２２から当該圧力室１１４に供給されるインクの流量を調節することができる。
【００４０】
上記第１のコーティング層２００は、インクジェットプリントヘッド１００に形成されることができる。例えば、上記第１のコーティング層２００は、インクジェットプリントヘッド１００の上部に形成されることができる。しかしながら、上記第１のコーティング層２００は、必要に応じて、インクジェットプリントヘッド１００の側面に形成されることもできる。
【００４１】
上記第１のコーティング層２００は、金属粉末を含む混合物からなることができる。例えば、上記第１のコーティング層２００は、熱伝導率が高い銅粉末又はアルミニウム粉末を含む混合物からなることができる。
【００４２】
また、上記第１のコーティング層２００は、ポリマー成分を含む混合物からなることができる。ここで、ポリマー成分は、金属粉末の表面を取り囲む形態に構成されることができる。このように構成されたポリマー成分は、第１のコーティング層２００に含まれた金属粉末によって漏電する現象を最小化することができる。また、ポリマー成分は、金属粉末が吸収した熱が急激に放出されることを抑制させることができる。
【００４３】
また、上記第１のコーティング層２００は、アルコール成分を含むことができる。上記アルコール成分は、第１のコーティング層２００に含まれた金属粉末を全体的に均一に分布させる役割をすることができる。
【００４４】
上記第１のコーティング層２００は、例えば、銀（Ａｇ）、窒化ホウ素（Ｂ３Ｎ３）、酸化亜鉛（ＺｎＯ）、酸化アルミニウム（Ａｌ２Ｏ３）、ポリオールエステルの少なくとも一つ以上を含む混合物からなることができる。具体的には、上記第１のコーティング層２００は、銀１０〜１５重量％と、窒化ホウ素１〜３重量％と、酸化亜鉛１〜３重量％と、酸化アルミニウム２０〜２７重量％と、ポリオールエステル４０〜５２重量％と、を含むことができる。
【００４５】
このように構成された第１のコーティング層２００は、インクジェットプリントヘッド１００から発生する熱を吸収して当該インクジェットプリントヘッド１００を冷却させる役割をし、また、吸収した熱を空気中に徐々に放出させてインクジェットプリントヘッド１００の内部に貯蔵されたインクの粘度が急激に変わることを最小化することができる。
【００４６】
以下、図２から図６を参照して本実施例によるインクジェットプリントヘッド組立体の性能実験結果を説明する。なお、比較例１は、インクジェットプリントヘッドのみからなるインクジェットプリントヘッド組立体を示すものであり、比較例２は、インクジェットプリントヘッドにＲＴＶがコーティングされたインクジェットプリントヘッド組立体を示すものであり、実施例１は、本発明の第１の実施例によるインクジェットプリントヘッド組立体を示すものである。
【００４７】
図２及び図３中、Ｙ軸は液滴のサイズを示し、Ｘ軸はインクジェットプリントヘッド組立体の移送距離を示す。
【００４８】
ＬＣＤのプリンティング工程は、インクジェットプリントヘッドを往復移送させながら行われる。しかしながら、このようなプリンティング工程では、インクジェットプリントヘッドの稼働時間が相当に長くなって当該インクジェットプリントヘッドに相当な熱が発生するため、インクの粘度を変化させる。したがって、インクジェットプリントヘッドを連続的に稼働させる場合、液滴のサイズが最初に設定した液滴のサイズより相当に大きくなる。
【００４９】
図２から分かるように、比較例１は、インクジェットプリントヘッドの正方向印刷作業による液滴のサイズと逆方向印刷作業による液滴のサイズとの偏差が大きい。特に、比較例１は、正方向印刷作業が完了した後、インクジェットプリントヘッドを再設定して液滴のサイズを調節してこそ、当該インクジェットプリントヘッドの加熱による噴射液滴のサイズ増加を抑制させることができるという短所がある。
【００５０】
比較例２は、インクジェットプリントヘッドの正方向印刷作業による液滴のサイズと逆方向印刷作業による液滴のサイズとの偏差が相対的に小さい。しかしながら、これは、比較例１で説明したように、正方向印刷作業後にインクジェットプリントヘッドを冷却させるか又はインクジェットプリントヘッドの液滴サイズ設定を調節して得られた結果であるため、当該インクジェットプリントヘッドの作業速度効率が大きく落ちるという短所がある。
【００５１】
これに対し、本発明による実施例１は、図２に示されるように、インクジェットプリントヘッドの正方向印刷作業による液滴のサイズと逆方向印刷作業による液滴のサイズとの偏差が比較的安定している。即ち、本実施例では、第１のコーティング層２００がインクジェットプリントヘッド１００から発生した熱を迅速に吸収しこの熱を徐々に放出させるため、当該インクジェットプリントヘッド１００の正方向印刷作業による液滴のサイズと逆方向印刷作業による液滴のサイズとの偏差が小さいことができた。
【００５２】
図３は、インクジェットプリントヘッドの移送距離による色座標偏差を示すグラフである。
【００５３】
図３から分かるように、比較例１は、インクジェットプリントヘッドの移送距離による色座標偏差が非常に大きく不安定しているが、比較例２と実施例１は、比較的安定している。特に、実施例１の色座標偏差は、０．５／１０００で、比較例２の色座標偏差１．０／１０００に比べて相対的に小さかった。
【００５４】
図４から図６は、インクジェットプリントヘッドの作動時の熱分布を撮影したグラフである。
【００５５】
図４から分かるように、比較例１は、インクジェットプリントヘッド３００の上部に相当な熱が集中されるが、外部への熱の放出も同時に行われる。
【００５６】
このような比較例１によるインクジェットプリントヘッド組立体では、圧力室の温度上昇時に液滴のサイズが大きくなることもあるが、インクジェットプリントヘッド３００の冷却が急激に行われることから液滴のサイズの偏差が大きい。
【００５７】
これに比べ、比較例２は、図５に示されるようにＲＴＶ４１０がインクジェットプリントヘッド４００から発生した熱をある程度冷却させることはできるが、熱が外部に放出されることを遮断する役割をすることから当該インクジェットプリントヘッド４００の過熱現象を防止することができない。
【００５８】
これとは異なり、実施例１は、図６に示されるように第１のコーティング層２００がインクジェットプリントヘッド１００から発生した熱を吸収しこの熱を徐々に外部に放出させるため、当該インクジェットプリントヘッド１００の印刷品質が急激に変化することを抑制することができる。
【００５９】
したがって、本実施例によるインクジェットプリントヘッド組立体は、大型ＬＣＤの印刷作業のように相当な印刷作業時間と印刷作業距離を要する工程で効果的に用いられることができるのみならず、このような工程でも優れた印刷品質を発揮することができる。
【００６０】
以下、本発明の他の実施例を説明する。なお、以下の実施例において、第１の実施例と同一の構成要素に対しては第１の実施例と同一の図面符号を用い、これら構成要素に関する詳細な説明は省略する。
【００６１】
本発明の第２の実施例によるインクジェットプリントヘッド組立体１０００は、図７に示されるように、第２のコーティング層２１０をさらに含むことができる。
【００６２】
上記第２のコーティング層２１０は、第１のコーティング層２００に形成されることができる。例えば、上記第２のコーティング層２１０は、インクジェットプリントヘッド１００と第１のコーティング層２００との間に形成されるか又は第１のコーティング層２００の上側に形成されることができる。
【００６３】
上記第２のコーティング層２１０は、ＲＴＶシリコン（Ｒｏｏｍ  Ｔｅｍｐｅｒａｔｕｒｅ  Ｖｕｌｃａｎｉｚａｔｉｏｎ  Ｓｉｌｉｃｏｎｅ）を含むか又は第１のコーティング層２００とは 混合成分又は混合割合が異なる混合物からなることができる。
【００６４】
例えば、上記第２のコーティング層２１０は、第１のコーティング層２００と同様に金属粉末を含む混合物からなるか、ポリマー成分を含む混合物からなるか又はアルコール成分を含むことができる。
【００６５】
また、上記第２のコーティング層２１０は、銀（Ａｇ）、窒化ホウ素（Ｂ３Ｎ３）、酸化亜鉛（ＺｎＯ）、酸化アルミニウム（Ａｌ２Ｏ３）、ポリオールエステルの少なくとも一つ以上を含む混合物からなることができる。
【００６６】
但し、上記第２のコーティング層２１０は、このような成分において銀又は酸化アルミニウムの含量が第１のコーティング層２００と異なることができる。具体的には、上記第２のコーティング層２１０は、銀又は酸化アルミニウムの含量が第１のコーティング層２００に比べて相対的に低いことができる。
【００６７】
したがって、上記第２のコーティング層２１０は、第１のコーティング層２００に比べて熱伝達効率が相対的に低いため、インクジェットプリントヘッド１００から発生した熱が外部に急激に放出されることを抑制することができる。
【００６８】
このように構成されたインクジェットプリントヘッド組立体１０００は、第１のコーティング層２００と第２のコーティング層２１０を介してインクジェットプリントヘッド１００から発生する熱を徐々に放出させるため、当該インクジェットプリントヘッド１００の作業時間による液滴のサイズの偏差を最小化し、これにより、印刷品質を向上させることができる。
【００６９】
以下、図９及び図１０を参照して本発明の第３及び第４の実施例によるインクジェットプリントヘッド組立体を説明する。
【００７０】
本発明による第１及び第２のコーティング層２００、２１０は、インクジェットプリントヘッド１００に堅固に付着可能なジェル状やゲル状物質又はＵＶによる硬化が可能な物質からなることができる。しかしながら、上記第１及び第２のコーティング層２００、２１０は、必要に応じて、所定の粘性を有する液状物質からなることができる。
【００７１】
ここで、後者の場合（液状の場合）は、上記第１及び第２のコーティング層２００、２１０をインクジェットプリントヘッド１００に固定させることが困難となる。
【００７２】
第３の実施例と第４の実施例では、このような点を考慮して、上記インクジェットプリントヘッド１００の上部に収容空間１０２を形成することができる。
【００７３】
上記収容空間１０２は、インクジェットプリントヘッド１００の第１の基板１１０に形成されることができる。具体的には、上記収容空間１０２は、第１の基板１１０の上部のうち圧力室１１４に対応する部分に形成されることができる。
【００７４】
このように形成された収容空間１０２に第１のコーティング層２００又は第２のコーティング層２１０を構成する物質が塗布又はコーティングされることにより圧力室１１４から発生する熱を吸収するか又は外部に放出させることができる。
【００７５】
一方、上記収容空間１０２には、図１０に示されるように隔壁１０４が形成されることができる。このような隔壁１０４は、収容空間１０２を複数の空間に分割するため、第１及び第２のコーティング層２００、２１０を形成する液状物質がインクジェットプリントヘッド１００の移動時に揺れる現象を減少させることができる。
【００７６】
本発明は、上述した実施例に限定されず、本発明の属する技術分野における通常の知識を有する者によって添付の特許請求の範囲に記載の本発明の技術的思想を外れない範囲内で多様に変更され実施されることができる。
【符号の説明】
【００７７】
１０００  インクジェットプリントヘッド組立体
１００  インクジェットプリントヘッド
１１０  第１の基板
１１２  インク流入口
１１４  圧力室
１２０  第２の基板
１２２  マニホールド
１２４  ダンパー
１２６  ノズル
１３０  圧電素子
２００  第１のコーティング層
２１０  第２のコーティング層
【図１】
2013082191.tif 000003
【図２】
2013082191.tif 000004
【図３】
2013082191.tif 000005
【図７】
2013082191.tif 000006
【図８】
2013082191.tif 000007
【図９】
2013082191.tif 000008
【図１０】
2013082191.tif 000009
【図４】
2013082191.tif 000010
【図５】
2013082191.tif 000011
【図６】
2013082191.tif 000012